(57)【要約】【課題】  共通する処理シートに印刷される墨字と打刻される点字の所望の相対位置関係を、余白設定によって容易に設定できる文字情報処理方法、文字情報処理装置、プログラムおよび記憶媒体を提供する。【解決手段】  共通する処理シートに印刷される墨字と打刻される点字との少なくとも前後関係を含む相対位置情報を有する候補選択肢を、点字の余白として設定可能な設定余白の選択肢の一種として記憶し、余白の選択肢のうちの候補選択肢が選択されたときに、相対位置情報に従って墨字と点字とを配置することを特徴とする。【選択図】  図１２
2006027177.tif 000002
【特許請求の範囲】
【請求項１】
共通する処理シートに印刷される墨字と打刻される点字との少なくとも前後関係を含む相対位置情報を有する候補選択肢を、前記点字の余白として設定可能な設定余白の選択肢の一種として記憶し、前記余白の選択肢のうちの前記候補選択肢が選択されたときに、前記相対位置情報に従って前記墨字と前記点字とを配置することを特徴とする文字情報処理方法。
【請求項２】
前記相対位置情報には、前記前後関係の情報に加えて、前記墨字と前記点字との前後方向における相互間距離の情報が含まれることを特徴とする、請求項１に記載の文字情報処理方法。
【請求項３】
前記候補選択肢として、複数種類が規定されており、
前記相互間距離は、前記墨字と前記点字とが前記前後方向に連続する状態を基準値の０として規定され、
前記複数の候補選択肢には、前記相互間距離として負の値を示す候補選択肢が含まれることを特徴とする、請求項２に記載の文字情報処理方法。
【請求項４】
前記相互間距離の基準は、前記墨字の印刷について設定された余白を含む前記墨字の前端または後端であることを特徴とする、請求項２または３に記載の文字情報処理方法。
【請求項５】
共通する処理シートに墨字の印刷と点字の打刻とを行う文字情報処理装置であって、
前記墨字と前記点字との前記処理シート上における少なくとも前後関係を含む相対位置情報を有する候補選択肢を、前記点字の余白として設定可能な設定余白の選択肢の一種として記憶する記憶手段と、
前記余白の選択肢のうちの前記候補選択肢を前記設定余白として選択する選択手段と、
前記候補選択肢が選択されたときに、前記相対位置情報に従って前記墨字と点字とを配置する配置手段と、
を備えたことを特徴とする文字情報処理装置。
【請求項６】
請求項１ないし４のいずれかに記載の文字情報処理方法を実行可能なことを特徴とするプログラム。
【請求項７】
請求項６に記載のプログラムを、プログラム処理可能な装置によって読出可能に記憶することを特徴とする記憶媒体。
【発明の詳細な説明】
【技術分野】
【０００１】
本発明は、共通の処理シートに墨字の印刷と点字の打刻とを行う文字情報処理方法、文字情報処理装置、プログラムおよび記憶媒体に関する。
【背景技術】
【０００２】
従来、視覚障害者が認識可能な点字と、視覚障害を有しない晴眼者が視認可能な墨字（点字に対し、通常の印刷文字を指す）とを、同一の処理シート（テープ）に対して、字間を合わせて並べて配置して（または重ねて配置して）、視覚障害者と晴眼者の両者が認識可能な点字ラベルが知られている（例えば、特許文献１参照）。
【特許文献１】特開平１０−２７５２０６号公報
【発明の開示】
【発明が解決しようとする課題】
【０００３】
この種の点字ラベルを作成する場合の墨字および点字の前後の余白は、双方に共通する余白として共通に設定され、あるいはそれぞれに個別の余白として個別に設定される。このため、墨字と点字との所望の相対位置関係を、余白設定によって行うことは、前者では不可能であった。また、後者においても煩雑で、その結果、墨字と点字の配置がバランスを欠いたり、墨字と点字の一部または全部が意に反して重なってしまい、墨字が読みにくくなったり、点字の存在によって墨字がかすれたりする不具合があった。
【０００４】
本発明は、共通する処理シートに印刷される墨字と打刻される点字の所望の相対位置関係を、余白設定によって容易に設定できる文字情報処理方法、文字情報処理装置、プログラムおよび記憶媒体を提供することを目的とする。
【課題を解決するための手段】
【０００５】
本発明の文字情報処理方法は、共通する処理シートに印刷される墨字と打刻される点字との少なくとも前後関係を含む相対位置情報を有する候補選択肢を、前記点字の余白として設定可能な設定余白の選択肢の一種として記憶し、前記余白の選択肢のうちの前記候補選択肢が選択されたときに、前記相対位置情報に従って前記墨字と前記点字とを配置することを特徴とする。
【０００６】
また、本発明の文字情報処理装置は、共通する処理シートに墨字の印刷と点字の打刻とを行う文字情報処理装置であって、前記墨字と前記点字との前記処理シート上における少なくとも前後関係を含む相対位置情報を有する候補選択肢を、前記点字の余白として設定可能な設定余白の選択肢の一種として記憶する記憶手段と、前記余白の選択肢のうちの前記候補選択肢を前記設定余白として選択する選択手段と、前記候補選択肢が選択されたときに、前記相対位置情報に従って前記墨字と点字とを配置する配置手段と、を備えたことを特徴とする。
【０００７】
この文字情報処理方法および文字情報処理装置では、設定余白の選択肢として墨字と点字の相対位置関係を示す候補選択肢が選択されたときに、その相対位置関係に従って墨字と点字とを配置するので、候補選択肢を選択するだけで、墨字と点字を容易に配置できる。このため、候補選択肢を各種用意しておくことにより、墨字と点字の所望の相対位置関係を、余白設定によって容易に設定できる。なお、この場合の「前後関係を含む相対位置情報」は、墨字と点字とがいわゆる同一行に並ぶ前後関係のみの相対位置情報ばかりでなく、例えば複数行構成で異なる行に並んだり、一方が上下方向にずれて一部重なったりするように、上下関係や斜めの相対位置関係が存在しうるものの相対位置情報でも良く、少なくとも前後方向の成分を示す前後関係の情報を含むものであれば良い。
【０００８】
また、上述の文字情報処理方法において、前記相対位置情報には、前記前後関係の情報に加えて、前記墨字と前記点字との前後方向における相互間距離の情報が含まれることが好ましい。
【０００９】
この文字情報処理方法では、候補選択肢の相対位置情報に、前後関係ばかりでなく、前後方向における相互間距離の情報が含まれるので、候補選択肢を選択するだけで、所望の前後関係と相互間距離を有する墨字と点字とを容易に配置でき、この配置による相対位置関係を、余白設定によって容易に設定できる。
【００１０】
また、上述の文字情報処理方法において、前記候補選択肢として、複数種類が規定されており、前記相互間距離は、前記墨字と前記点字とが前記前後方向に連続する状態を基準値の０として規定され、前記複数の候補選択肢には、前記相互間距離として負の値を示す候補選択肢が含まれることが好ましい。
【００１１】
この文字情報処理方法では、複数の候補選択肢のいずれかを選択することで、前後方向の相互間距離として負の値を選択・設定できるので、墨字と点字との前後関係においてその負の値の距離分だけ重なる相対位置関係を、余白設定によって容易に設定できる。
【００１２】
また、前記相対位置情報に前記相互間距離の情報が含まれる上述の各文字情報処理方法において、前記相互間距離の基準は、前記墨字の印刷について設定された余白を含む前記墨字の前端または後端であることが好ましい。
【００１３】
この文字情報処理方法では、相対間距離の基準を、墨字の印刷について設定された余白を含む前端または後端とするので、墨字印刷のみの場合の墨字の見やすさ等を考慮した前余白や後余白の設定をそのまま生かすことができる。なお、この基準以外に、墨字としての前余白や後余白の部分を除く実印刷部の前端または後端を基準とすることもでき、この場合、既設定に拘わらず、表面に直接表れる墨字（実印刷部）と点字（実打刻部）との位置関係のみを考慮して改めて設定する場合に都合が良い（設定しやすい）。また、これらを選択できるようにしても良い。
【００１４】
また、本発明のプログラムは、上述のいずれかの文字情報処理方法を実行可能なこと、または、上述の文字情報処理装置を機能させること、を特徴とする。また、本発明の記憶媒体は、上述のプログラムを、プログラム処理可能な装置によって読出可能に記憶することを特徴とする。
【００１５】
このプログラムは、上述のいずれかの文字情報処理方法を実行可能なので、または、文字情報処理装置を機能させることができるので、プログラム処理可能な装置によって処理されることにより、または、プログラム処理可能な装置によって記憶媒体に記憶されたプログラムを読み出して実行することにより、墨字と点字の所望の相対位置関係を、余白設定によって容易に設定できる。
【発明を実施するための最良の形態】
【００１６】
以下、本発明の一実施形態に係るラベル作成装置（文字情報処理装置）について、添付図面を参照しながら詳細に説明する。
【００１７】
図１および図２に示すように、このラベル作成装置１は、手持ち部分１３を有する装置ケース２により外郭が形成され、装置ケース２は、前部ケース２ａと後部ケース２ｂとが一体形成されている。前部ケース２ａは、墨字印刷部１２０を有し、テープカートリッジＣから繰り出されるテープ（処理シート）Ｔに対して墨字印刷を行う。また、後部ケース２ｂは、点字打刻部１５０を有し、ユーザがテープＴを手差し挿入した墨字印刷後のテープＴに対して点字打刻を行う。
【００１８】
前部ケース２ａの前部上面には各種入力キーを備えたキーボード３が配置されると共に、後部上面には開閉蓋２１が取り付けられ、開閉蓋２１には長方形のディスプレイ４が配設されている。また、開閉蓋２１の内側左部にテープカートリッジＣを装着するためのカートリッジ装着部６（墨字印刷部１２０）が窪入形成されており、テープカートリッジＣは、蓋体開放ボタン１４の押下により開閉蓋２１が開放された状態でカートリッジ装着部６に着脱可能に装着される。また、開閉蓋２１には、これを閉止した状態でテープカートリッジＣの装着／非装着を視認するための覗き窓２１ａが形成されている。
【００１９】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するためのテープカッタ１９が臨んでいる。そして、テープカッタ１９によりテープＴの後端部が切断されることにより、印刷テープ排出口２２から墨字印刷後のテープＴが排出される。
【００２０】
また、ラベル作成装置１は、図３に示すように、制御系から見た基本的な構成として、キーボード３およびディスプレイ４を有し、文字情報の入力や各種情報の表示などマンマシンインタフェースを司る操作部１１０と、テープカートリッジＣ、印刷ヘッド７および印刷送りモータ１２１を有し、テープＴおよびインクリボンＲを搬送しながらテープＴ上に墨字印刷を行う墨字印刷部１２０と、テープカッタ１９およびこれを駆動するカッタモータ１４１を有し、印刷済みテープＴを切断する切断部１４０と、を備えている。
【００２１】
また、ソレノイド４７、打刻ピン４１および打刻送りモータ１５１を有し、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する先端検出センサ９１、同じく点字打刻部１５０においてテープＴに印刷された前後識別情報Ｄを検出する前後識別センサ９２、印刷送りモータ１２１の回転速度を検出する印刷部回転速度センサ１７２、および打刻送りモータ１５１の回転速度を検出する打刻部回転速度センサ１７３を有し、各種検出を行う検出部１７０と、をさらに備えている。
【００２２】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、をさらに備えている。
【００２３】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、前後識別情報Ｄを墨字印刷するためのデータや点字データの打刻制御のための制御データ等を記憶する制御データブロック２２２とを有している。なお、文字フォントデータは、ＲＯＭ２２０内ではなく、ＣＧ−ＲＯＭを別個に備えても良い。
【００２４】
ＲＡＭ２３０は、フラグ等として使用される各種ワークエリアブロック２３１の他、生成された墨字印刷データを記憶する墨字印刷データブロック２３２と、生成された点字打刻データを記憶する点字打刻データブロック２３３と、ディスプレイ４に表示するための表示データを記憶する表示データブロック２３４と、設定された墨字印刷領域（印刷配置部）Ｅｐと点字打刻領域（打刻配置部）Ｅｂのレイアウトを記憶するレイアウトブロック２３５と、設定されたレイアウトに応じて点字データを１８０°回転させた状態で打刻する場合に使用する反転点字データＢ´（図９参照）を記憶する反転点字データブロック２３６と、を有し、制御処理のための作業領域として使用される。また、ＲＡＭ２３０は電源が切断されても記憶したデータを保持しておくように常にバックアップされている。
【００２５】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データあるいは検出部１７０の各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００２６】
そして、ＣＰＵ２１０は、上記の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００２７】
例えば、ＣＰＵ２１０は、キーボード３より文字情報が入力されると、これに基づいて墨字印刷データＰおよび点字打刻データＢを生成し、必要に応じて両データ間での長さ等の調整を行い、反転点字データＢ’を用意する（図９参照）。また、調整前または調整後の墨字印刷データ（余白データを含む）Ｐを墨字印刷データブロック２３２に記憶すると共に、同じく調整前または調整後の点字打刻データ（余白データを含む）Ｂを点字打刻データブロック２３３に記憶し、反転点字データＢ’を反転点字データブロック２３６に記憶する。
【００２８】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字印刷データＰに基づく墨字印刷を行うと共に、予め制御データブロック２２２内に記憶されているデータに基づいて、挿入するテープＴの前後識別情報Ｄの印刷も行う。その後、墨字印刷データに基づいて（必要に応じて調整済みの）所定長さのテープ送りを行い、テープカッタ１９によりテープ後端部を切断して、印刷テープ排出口２２からテープＴを排出する。
【００２９】
また、図１〜図３を参照して、引き続き（リセット操作や電源オフ操作が無い状態で）、ユーザによる手差し挿入により、短冊状に切断されたテープＴが打刻テープ挿入口３１に挿入されると、打刻ユニット８０およびテープ送り機構６０を駆動することにより、点字打刻データＢまたは反転点字データＢ′に基づいて点字打刻を行う。そして、打刻終了後、打刻送りモータ１５１の駆動により、点字打刻データＢ等に基づく調整済みの所定長さのテープ送りを行って、打刻テープ排出口３２からテープＴを排出する。なお、打刻ユニット８０による打刻開始は、先端検出センサ９１によるテープ先端の検出をトリガとするのではなく、ユーザがキーボード３上の打刻開始キーを押下することにより手動開始させることも可能である。
【００３０】
ここで、図４を参照し、テープＴ上に形成される点字Ｂ（６点点字Ｂ）について説明する。
【００３１】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点）で１マス２０１が構成され、６個の点のうちの打刻点および非打刻点のパターンにより、この１マス２０１で、１文字または濁点等の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【００３２】
なお、点字Ｂには、このような仮名文字や数字等を表す６点点字Ｂの他、漢字を表す８点点字（１マスが縦４個×横２個の点で構成される点字）も使用されている。ここでは、６点点字Ｂを形成する場合を例に挙げて説明するが、８点点字を形成するラベル作成装置においても本発明は適用可能である。
【００３３】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【００３４】
また、実施形態のラベル作成装置１は、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【００３５】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行うための処理モードを選択するモードキー、墨字印刷領域（印刷配置部）Ｅｐと点字打刻領域（打刻配置部）Ｅｂの配置を設定するレイアウトキー、その配置結果を印刷等の実行前にスクロール表示させるためのスクロールキーが含まれる。また、これら以外にも、機能キー群３ｂには一般のワープロ等と同様に、処理の取り消し等のための取消キー、カーソル移動用のカーソルキー、各種選択画面における選択肢の決定やテキスト入力時の改行のための確定（エンター）キーなどが含まれる。
【００３６】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００３７】
ディスプレイ４は、横方向（Ｘ方向）約１２cm×縦方向（Ｙ方向）５cmの長方形の形状の内側に、１９２ドット×８０ドットの表示画像を表示可能であり、ユーザがキーボード３から文字情報を入力して、墨字印刷データや点字打刻データを作成・編集したりする際に用いられる。また、各種エラーやメッセージ（指示内容）を表示し、ユーザに報知する。
【００３８】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００３９】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００４０】
テープカートリッジＣがカートリッジ装着部６に装着されると、ヘッドカバー２０ａに貫通孔５５が、位置決め突起２４にテープリール１７の中心孔が、プラテン駆動軸２５にプラテンローラ５３が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００４１】
テープＴは、特に図示しないが、裏面に粘着剤層が設けられた基材シート（情報形成層）と、この粘着剤層により基材シートに貼付された剥離紙（剥離紙層）とから構成されている。基材シートは、表側から、インクリボンから感熱転写されるインクの定着性を高めた受像層と、ポリエチレンテレフタレート（ＰＥＴ）製のフィルムで構成され、基材シートの主体を為す基材層と、粘着剤で構成された粘着剤層とを積層して構成されている。
【００４２】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００４３】
一方、後部ケース２ｂには、その内部に点字打刻を行うアッセンブリ（点字打刻部１５０）が組み込まれ、その上面は点字打刻部１５０（具体的には、テープ走行路７０、打刻ユニット８０およびテープ送り機構６０）が露出するように十字状に開放されている。また、この切り欠き開口部３０の右部にはユーザによりテープＴが手差し挿入される打刻テープ挿入口３１が形成され、左部には点字打刻後のテープＴが排出される打刻テープ排出口３２が形成されている。
【００４４】
点字打刻部１５０は、３個の打刻ピン４１（図５（ｂ）参照）により点字打刻を行う打刻ユニット８０と、打刻テープ挿入口３１に挿入されたテープＴを打刻テープ排出口３２に向けて送るテープ送り機構６０と、テープＴが搬送されるテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成される。
【００４５】
次に、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１を受ける打刻受け部材８２とを備え、テープ走行路７０の幅方向における図示下端部に固定配置されている。
【００４６】
打刻部材８１は、テープ幅方向（同図（ａ）における上下方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００４７】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。
【００４８】
また、点字打刻部１５０は、図６に示すように、テープＴの搬送をガイドするガイド部材７１、７２と、テープＴの先端を検出する透過型の先端検出センサ９１と、テープＴの前後を識別するための前後識別情報Ｄを検出する反射型の前後識別センサ９２（検出センサ）と、をさらに備えている。前後識別情報Ｄとしては、図示のとおり、テープＴの先端部且つ図示下端部付近に点「・」が印刷されており、これによってテープの挿入方向（前側）が指標されている。
【００４９】
打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送り機構６０（送りローラ６１）に到達するまで（挿入可能な位置まで）手差し挿入される。そして、キーボード３上のテープ送り開始キーの押下によりテープ送り機構６０によるテープ送りが開始される。
【００５０】
次に、図７〜図９を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【００５１】
ここで、キーボード３からのモード選択指示（モードキー入力）により（または外部装置からの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００５２】
また、レイアウト設定指示（レイアウトキー入力）により（または外部装置からの指示入力により）、レイアウト設定割込が発生すると（ＩＮＴＬ）、レイアウト設定の処理が起動され（Ｓ３０）、印刷／実行指示（印刷キー入力）により（または外部装置からの指示入力により）、印刷割込が発生すると（ＩＮＴＧ）、実行前設定の処理が起動される（Ｓ１４）。
【００５３】
ここで、実行前設定（Ｓ１４）では、実際の墨字印刷や点字打刻に際してその時点で必要とされる割付配置等の設定や各設定の最終確認等が行われる。なお、モード選択割込やレイアウト設定割込がないまま、印刷割込が発生したときには（ＩＮＴＧ）、デフォルトとして前回の設定のモード（初期設定では、第１処理モード、点字下段、墨点並行）が選択される。そして、実行前設定（Ｓ１４）が終了すると、実際の墨字印刷や点字打刻の処理を開始する。
【００５４】
すなわち、図７および図８（ａ）に示すように、第１処理モードの場合（Ｓ１３：（ａ））、墨字印刷部１２０による墨字Ｐの印刷（墨字印刷）の後（Ｓ１５）、テープカットと印刷テープ排出口２２からのテープＴの排出を行い（Ｓ１６）、ディスプレイ４上に打刻テープ挿入口３１へのテープ挿入指示を表示する（Ｓ１７）。なお、この指示表示は、インジケータやＬＥＤによって行っても良い。
【００５５】
テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。この場合、点字打刻部１５０では、前後識別情報Ｄの検出を行い、検出結果と設定されたレイアウトに応じた点字打刻方向に基づいて、テープ挿入方向が間違っている場合には、点字打刻を行わないようにしている。
【００５６】
また、第２処理モードの場合（Ｓ１３：（ｂ））、墨字印刷部１２０による墨字印刷の後（Ｓ２０）、テープカット・排出を行い（Ｓ２１）、処理を終了する（Ｓ２７）。すなわち、第２処理モードでは、図８（ｂ）に示すように、装着されたテープカートリッジＣから繰り出されたテープＴが墨字印刷部１２０へ送られることによって墨字Ｐを印刷する。なお、第２処理モードが選択された場合は、前後識別情報Ｄの印刷を省略することも可能である。
【００５７】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。すなわち、第３処理モードでは、図８（ｃ）に示すように、短冊状のテープ（任意の長さにカットされたテープ）Ｔが手差し挿入により点字打刻部１５０に送られて、点字Ｂを打刻する。また、この場合も、第１処理モードの場合と同様に、点字打刻部１５０において、前後識別情報Ｄの検出結果と設定されたレイアウトの点字打刻方向に対して挿入方向が間違っている場合、点字打刻を行わないようにしている。
【００５８】
なお、第３処理モードの場合も、前後識別情報Ｄの検出を省略することが可能であり、前後識別情報Ｄの検出を行うか否かを選択できるようにしても良い。また、手差し挿入のための短冊状のテープＴを入手するために、テープ挿入指示（Ｓ２４）の前に、図７および図８（ｃ）に点線で図示のように、第１処理モードの墨字印刷の代わりの空印刷（何も印刷しないでテープ送りのみ）を行った後（Ｓ２２）、テープカット・排出を行い（Ｓ２３）、排出されたテープカット後のテープＴを、手差し挿入用の短冊状のテープＴとして利用しても良い。また、点字打刻部１５０の上流側にテープカートリッジＣを装着し、テープカートリッジＣから繰り出された長尺状のテープに点字打刻を行わせることも可能である。また、墨字印刷と点字打刻は、同じ文字情報に基づいて印刷／打刻するのではなく、異なる文字情報に基づいて実行することも可能である。
【００５９】
次に、レイアウト設定（Ｓ３０）では、テープ幅検出結果（Ｓ１１）および処理モード選択結果（Ｓ１３）に基づいて、主な設定として、テープＴ上における墨字印刷領域（印刷配置部）Ｅｐや点字打刻領域（打刻配置部）Ｅｂの相対位置や（図９等参照）、各配置部の長さ（印刷配置部長さＰＬ、打刻配置部長さＢＬ、共通配置部長さＣＬ等）が設定され（図１３等参照）、その他、墨字印刷の文字サイズなど、一般的なテープ印刷装置やワープロ等と同様の設定が行われる（図１０のＳ３４３等参照）。
【００６０】
そして、特に第１処理モード（墨点併記）の場合、図９に示すように、テープ幅の検出結果が２４ｍｍ（テープＴ１）の場合は（同図（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。なお、テープＴの上下は、前後識別情報Ｄをテープ挿入方向（左向き）とし、且つ情報形成面を表側としたときの上下を指すものである。
【００６１】
また、テープ幅１８ｍｍ（テープＴ２）の場合も（図９（ｂ）参照）、点字下段（ｂ―１）、点字上段（ｂ―２）のいずれかが選択されることとなるが、この場合、テープ幅に合わせて印刷配置部Ｅｐのテープ幅方向長さが短くなる。なお、これらのテープＴ１やテープＴ２の場合、墨字と点字とを並行に配置するレイアウト（以下「墨点並行」）以外に、墨字と点字とを重ねるレイアウト（以下「墨点重ね」）を選択して設定できるようになっている。
【００６２】
なお、テープ幅１２ｍｍ（テープＴ３）の場合は（図９（ｃ）参照）、テープ幅が点字１マス２０１の大きさ（テープ幅方向長さ）を打刻可能な最低の長さであるため（図４（ａ）参照）、点字上段・下段の選択、墨点並行／重ねの選択・設定に拘わらず、印刷配置部Ｅｐと打刻配置部Ｅｂが重なり合ったレイアウトのみとなる。
【００６３】
次に、ラベル作成時に、ユーザによるキーボード３からの入力に基づいてディスプレイ４上で行われる典型的な操作、特に上述のレイアウト設定（Ｓ３０）の操作の例について、具体的に詳述する。
【００６４】
まず、例えば図１０に示すように、カーソルＫまでの１行目の文字（キャラクタ）列「ＡＢＣ」が入力されたテキスト編集画面表示の状態で（画面Ｄ１０：以下、ディスプレイ４の表示画面の状態を画面Ｄｘｘとし、Ｄｘｘのみで説明および図示する。）、ユーザによりレイアウトキーが押されると（図７のレイアウト設定割込（ＩＮＴＬ））、レイアウト設定処理のため（Ｓ３０）、レイアウト設定画面に遷移する（Ｄ１１〜Ｄ１４）。
【００６５】
ここでは、まず、点字打刻位置選択のため（Ｓ３１）、最初の設定画面として、点字打刻位置の設定画面に遷移する（Ｄ１１）。ここでは、選択肢として、点字を上段（墨字に対して上側）に配置する「１．上段」（点字上段：図９（ａ）の（ａ−２）参照）と、点字を下段（墨字に対して下側）に配置する「２．下段」（点字下段：同図（ａ−１）参照）と、のいずれかを、カーソル操作によって選択・指定できる（画面遷移直後は前回指定の選択肢をデフォルトとしてカーソル指定して表示：初期設定は「２．下段」（点字下段））。なお、以下の各種の選択画面においても、基本的に画面遷移直後は前回指定の選択肢をデフォルトとしてカーソル指定して表示するものとして説明は省略し、適宜初期設定のみ付記する。
【００６６】
ここでは、上記の状態で（Ｄ１１）、「１．下段」がカーソル指定されてエンターキーの押下により選択（以下単に「選択確定」という）されたとすると、点字配置として「点字下段」を設定して、次に、墨字と点字を並行配置するか重ねて配置するかを選択（墨点並行／重ね選択）するために（Ｓ３２）、墨字・点字の配置方法の設定画面（墨点配置選択画面）に遷移する（Ｄ１２）。この選択画面では、選択肢として、墨字と点字とを並行に配置する「１．墨点並行」と、墨字と点字とを重ねる「２．墨点重ね」と、のいずれかをカーソル操作で選択・指定できる（初期設定は「１．墨点並行」）。
【００６７】
ここでは、「１．墨点並行」が選択確定されたとすると、墨字・点字の配置方法として「墨点並行」を設定して、次に、墨字印刷の配置に関する各種の指定を行うために（Ｓ３３）、墨字配置指定画面に遷移する（Ｄ１３）。この指定画面では、選択肢として、墨字印刷の配置に関連する各種の指定を行う「１．指定有り」と、指定を行わない（設定変更をしない）「２．指定無し」と、を表示するので（初期設定は「２．指定無し」）、ここで仮に「１．指定有り」が選択確定されると（Ｓ３３１：Ｙｅｓ）、墨字配置の「指定有り」（設定変更有り）を設定して、次に、各種の墨字配置関連指定（詳細は省略）の指定が可能になり（Ｓ３３２）、終了すると、元の墨字配置指定画面に戻る（Ｄ１３）。
【００６８】
一方、墨字配置指定画面で（Ｄ１３）、「２．指定無し」が選択確定されたとすると（Ｓ３３１：Ｎｏ）、墨字配置の「指定無し」を設定して、次に、点字打刻の配置に関する各種の指定を行うために（Ｓ３４）、点字配置指定画面に遷移する（Ｄ１４）。
【００６９】
この点字配置指定画面においても（Ｄ１４）、上述の墨字配置指定画面（Ｄ１３）と同様に、選択肢として、点字打刻の配置に関連する各種の指定を行う「１．指定有り」と、指定を行わない（設定変更をしない）「２．指定無し」と、を表示するので（初期設定は「２．指定無し」）、ここでは、「２．指定無し」が選択確定されたとすると（Ｓ３４１：Ｎｏ）、点字配置の「指定無し」を設定して、テキスト編集画面（文字情報入力状態）に戻る（Ｄ１５：Ｄ１０と同じ：図７ではＳ１２の状態）。
【００７０】
ところで、ラベル作成装置１では、点字配置の指定のうちの前後余白の設定について工夫をしているので、その効果を理解しやすい（図示しやすく説明しやすい）テープ幅１２ｍｍを例示して、以下に詳述する。なお、前述のように、テープ幅１２ｍｍ（テープＴ３）の場合（図９（ｃ）参照）、点字上段・下段の選択、墨点並行／重ねの選択・設定に拘わらず、印刷配置部Ｅｐと打刻配置部Ｅｂが重なり合ったレイアウトのみとなるので、テープ幅１２ｍｍが検出された場合には、図１０で上述の点字打刻位置選択（Ｓ３１、Ｄ１１）や、墨点並行／重ね選択（Ｓ３２、Ｄ１２）を省略しても良い（このため、点線で図示している）。
【００７１】
図１０（ｂ）、図１１および図１２に示すように、まず、上述の点字配置指定で（Ｓ３４、Ｄ１４：図１０（ａ）と図１１で共通）、「１．指定有り」が選択確定されると（Ｄ２０、Ｓ３４１：Ｙｅｓ）、点字配置の「指定有り」（設定変更有り）を設定して、次に、点字余白指定のために（Ｓ３４２）、点字余白指定画面に遷移する（Ｄ２１）。なお、ここでは、説明の簡単化のために、最初に点字余白指定（Ｓ３４２）を行うが、点字配置指定（Ｓ３４）の処理内であれば、例えば民間仕様と異なるマス内やマス間のサイズ設定などのその他の配置関連指定（Ｓ３４３）の一部または全部と指定順を交換しても良い。
【００７２】
この点字余白指定画面では（Ｄ２１〜Ｄ２５）、選択肢として、点字余白の指定を行わない（設定変更しない）「１．指定無し」の他、「２．長さ指定」「３．相対指定」「４．墨字の後ろ」「５．墨字の前」を表示するので（初期設定は「１．指定無し」）、ここで「１．指定無し」が選択確定されると、次に、その他の配置関連指定（Ｓ３４３）に移行し、終了後には、元の画面に戻る（Ｄ１４）。
【００７３】
ここで、実際に作成されるラベルの例を示しておく。まず、上述のレイアウト設定（図７のＳ３０）において、特に何も指定しない（設定変更しない）で戻った状態、すなわち文字列「ＡＢＣ」が入力された状態で（図１０（ａ）のＤ１５：図７のＳ１２の状態）、印刷キーが押され、印刷割込が発生すると（ＩＮＴＧ）、第２処理モード（墨字のみ）が選択されていたときには、例えば図１３（ａ)の墨字画像（墨字印刷データ）Ｇｐ０に従って墨字印刷の後（Ｓ２０）、印刷テープ排出口２２からテープＴを排出し（Ｓ２１）、処理を終了する（Ｓ２７）。この場合、墨字のみなので、そのまま墨字印刷結果のラベルＬｐ０となる。
【００７４】
また、第３処理モード（点字のみ）が選択されていたときには、前述のように、必要に応じて空印刷〜テープＴ排出（Ｓ２２〜Ｓ２３）の後、テープ挿入指示を表示し（Ｓ２４）、テープＴが手差し挿入されると、図１３（ｂ）の点字画像（点字打刻データ）Ｇｂ０に従って点字打刻を行って（Ｓ２５〜Ｓ２６）、処理を終了する（Ｓ２７）。この場合、点字のみなので、そのまま点字打刻結果のラベルＬｂ０となる。
【００７５】
なお、以下では、図１３（ａ）で上述の墨字画像Ｇｐ０の前余白長さ（以下単に「前余白」）ＦｐＬ（例えばＦｐＬ＝４ｍｍ＝０．４ｃｍ）および後余白長さ（以下単に「後余白」）ＲｐＬ（例えばＲｐＬ＝０．４ｃｍ）を、墨字のみのときの前回設定（または初期設定）によるデフォルト値とし、同図（ｂ）で上述の点字画像Ｇｂ０の前余白ＦｂＬ（例えばＦｂＬ＝０．５ｃｍ）および後余白ＲｂＬ（例えばＲｂＬ＝０．５ｃｍ）を、点字のみのときの前回設定（または初期設定）によるデフォルト値として、指定無し（変更無し）の場合の値とする。また、点字の実打刻部長さＤＬの前後に前余白ＦｂＬおよび後余白ＲｂＬを加えたものを打刻配置部長さＢＬとする。また、墨字と点字との相対位置について説明するので、第１処理モード（墨点併記）が選択されているとする。
【００７６】
そこで、指定無し（変更無し）の場合、第１処理モード（墨点併記）なので、図１３（ａ）の墨字画像Ｇｐ０を、長さ調整結果の共通配置部長さＣＬ（この場合、ＣＬ＝ＢＬ：長い方）まで拡張して、その墨字画像Ｇｐ０１により墨字印刷を行った後（図７のＳ１５〜Ｓ１６）、テープ挿入指示を表示し（Ｓ１７）、テープＴが手差し挿入されると、同図（ｂ）の点字画像Ｇｂ０の点字打刻を行って（Ｓ１８〜Ｓ１９）、処理を終了する（Ｓ２７）。これにより、同図（ｃ）の外観（画像）Ｇ００のような墨点併記のラベルＬ００を作成できる。
【００７７】
次に、図１１で上述の点字余白指定画面において（Ｄ２１〜Ｄ２５）、上述した選択肢の「１．指定無し」以外が選択確定されると（Ｄ２２〜Ｄ２５）、それぞれの下位画面（Ｄ２０等を第１階層、Ｄ２２〜Ｄ２５等を第２階層としたときの、その下位の第３階層）に移行し、各下位画面における指定・設定が終了すると、その他の配置関連指定（Ｓ３４３）に移行し、終了後には、元の画面に戻る（Ｄ１４）。
【００７８】
例えば「２．長さ指定」が選択確定されると（Ｄ２２）、「長さ指定」を設定して、その下位画面（第３階層）では、０．５ｃｍ〜５．０ｃｍの０．５ｃｍ刻みの選択肢（図１２参照）を表示するので、いずれかを選択でき、仮に「１．５ｃｍ」が選択確定されると、「２．長さ指定」の「１．５ｃｍ」（設定長さＳＬ＝１．５ｃｍ）を設定し、「長さ指定」の設定を終了して、その他の配置関連指定（Ｓ３４３）に移行し、終了後には、元の画面に戻る（Ｄ１４）。
【００７９】
この場合、そのまま（他の設定変更をしないで）、文字入力状態に戻り（図１０のＤ１５：図７のＳ１２の状態）、印刷キーが押されると（印刷割込が発生すると（ＩＮＴＧ））、図１３（ｄ）に示す＜例１＞のように、前余白ＦｂＬ（＝ＳＬ＝１．５ｃｍ）を拡張した共通配置部長さＣＬ（＝点字打刻部長さＢＬ）の点字画像Ｇｂ１１を作成し、それに合わせて共通配置部長さＣＬまで拡張した墨字画像Ｇｐ１１を作成し、その墨字画像Ｇｐ１１による墨字印刷および点字画像Ｇｂ１１による点字打刻を行うことにより（図７のＳ１５〜Ｓ１９、Ｓ２７）、図１３（ｄ）の外観画像Ｇ１１のような墨点併記のラベルＬ１１を作成する。
【００８０】
また、例えば「３．相対指定」が選択確定されると（図１１のＤ２３）、「相対指定」を設定し、下位画面（第３階層）では「極小」「少なめ」「ふつう」」「自動」「多め」などの選択肢（図１２参照）を表示するので、仮に「ふつう」が選択確定され、全体の長さに対して「ふつう」（相対的な長さ）が「１．５ｃｍ」に相当するものとすると、設定長さＳＬ＝１．５ｃｍを設定し、「相対指定」の設定を終了して、その他の配置関連指定（Ｓ３４３）に移行し、終了後には、元の画面に戻る（Ｄ１４）。
【００８１】
この場合、上述の「２．長さ指定」と同じになるので、そのまま文字入力状態に戻って（図７のＳ１２）印刷キーが押されると（ＩＮＴＧ）、同様に図１３（ｄ）の墨字画像Ｇｐ１１および点字画像Ｇｂ１１に基づく墨字印刷および点字打刻により（図７のＳ１５〜Ｓ１９、Ｓ２７）、図１３（ｄ）の外観画像Ｇ１１のような墨点併記のラベルＬ１１を作成する（＜例２＞）。
【００８２】
なお、前述のように、上述の例（例１、例２）では、前余白ＦｂＬのみ変更させ、後余白ＲｂＬをデフォルト値（例えばＲｂＬ＝０．５ｃｍ）としたが、常に前余白ＦｂＬ＝後余白ＲｂＬとする仕様の下では、例えば同図（ｅ）に示す共通配置部長さＣＬの墨字画像Ｇｐ１１Ｓおよび点字画像Ｇｂ１１Ｓによる外観画像Ｇ１１ＳのラベルＬ１１Ｓを作成する。また、割付として「中央寄せ」（センタリング）が予め設定されているときには、同様にラベルＬ１１Ｓを作成する。また、いわゆる定長指定により共通配置部長さＣＬが予め指定され且つ「前寄せ」の割付が設定されていれば、それに従って上記設定による残りの長さが後余白ＲｂＬに設定される。
【００８３】
ただし、上述した例１（長さ指定）や例２（相対指定）による余白設定を使用して、例えば図１４（ａ）や同図（ｃ）のように、墨字と点字との相対位置関係を考慮した配置（レイアウト）を実現するためには、設定する長さを綿密に検討（算出等）したり、あるいは何度か試し印刷や試し打刻等をする必要があり、煩雑となる。
【００８４】
このため、ラベル作成装置１では、墨字と点字との相対位置関係を容易に設定可能な選択肢を用意してあり、以下に説明する。すなわち、相対位置関係を設定可能な選択肢として「４．墨字の後ろ」や「５．墨字の前」が用意されている。
【００８５】
まず、例えば「４．墨字の後ろ」が選択確定されると（図１１のＤ２４）、その「墨字の後ろ」の下位画面（第３階層）では、−５．０ｃｍ〜＋５．０ｃｍの０．５ｃｍ刻みの選択肢（図１２参照）を表示するので、仮にデフォルト値と同様の「＋０．５ｃｍ」が選択確定されると、「４．墨字の後ろ」の「＋０．５ｃｍ」（設定長さ（以下では相互間距離）ＳＬ＝＋０．５ｃｍ）を設定して終了し、その他の配置関連指定（Ｓ３４３）に移行し、終了後には、元の画面に戻る（Ｄ１４）。
【００８６】
この場合、そのまま文字入力状態に戻って印刷キーが押されると（図１０のＤ１５：図７のＳ１２の状態→印刷割込（ＩＮＴＧ））、図１４（ａ）に示す＜例３＞のように、すなわち「墨字の後ろ」の表現の如く、墨字「ＡＢＣ」の後に点字を配置できるように、点字の前余白ＦｂＬとして設定長さＳＬを設定する（ＦｂＬ＝ＳＬとする）とともに、その前に印刷配置部長さＰＬ分だけの余白を用意して（ＰＬ分の前余白をさらに加えて）、共通配置部長さＣＬ（＝ＰＬ＋ＢＬ＝ＰＬ＋ＳＬ＋ＤＬ＋ＲｂＬ）を設定する。
【００８７】
また、続いて、全体が共通配置部長さＣＬになるように前側の余白部分を拡張した点字画像Ｇｂ１２を作成し、それに合わせて共通配置部長さＣＬまで後側の余白部分を拡張した墨字画像Ｇｐ１２を作成し、その墨字画像Ｇｐ１２による墨字印刷および点字画像Ｇｂ１２による点字打刻を行うことにより（図７のＳ１５〜Ｓ１９、Ｓ２７）、図１４（ａ）の外観画像Ｇ１２のような墨点併記のラベルＬ１２を作成する。
【００８８】
ところで、上述の選択肢「４．墨字の後ろ」の第３階層では、特徴的な点として、−５．０ｃｍ〜−０．５ｃｍの０．５ｃｍ刻みの負の値の選択肢（図１２参照）を有している。
【００８９】
ここで、仮に負の値の「−１．０ｃｍ」が選択確定されると、「４．墨字の後ろ」の「−１．０ｃｍ」（設定長さＳＬ＝−１．０ｃｍ）を設定して終了し、その他の配置関連指定（Ｓ３４３）等を終了後に元の画面に戻る（Ｄ１４）が、指定無しでそのまま文字入力状態に戻って印刷キーが押されると、図１４（ｂ）に示す＜例４＞のように、全体として「墨字の後ろ」ではあるが相互間距離が負、すなわち実打刻部長さＤＬが印刷配置部長さＰＬと一部重複し、その結果、墨字と点字が一部重なるように、レイアウト設定される（図７のＳ３０）。
【００９０】
この場合、実打刻部ＤＬの前に、印刷配置部長さＰＬと設定長さＳＬとの差分だけ余白を用意して（ＰＬ−ＳＬ分の前余白を加えて）、共通配置部長さＣＬ（＝ＰＬ−ＳＬ−ＦｂＬ＋ＢＬ＝ＰＬ−ＳＬ＋ＤＬ＋ＲｂＬ）を設定する。続いて、それぞれ全長が共通配置部長さＣＬになるように、前側の余白部分を拡張した点字画像Ｇｂ１３と、後側の余白部分を拡張した墨字画像Ｇｐ１３と、を作成し、これらによる墨字印刷と点字打刻により（図７のＳ１５〜Ｓ１９、Ｓ２７）、図１４（ｂ）の外観画像Ｇ１３のような墨点併記のラベルＬ１３を作成する。
【００９１】
また、例えば「５．墨字の前」が選択確定されると（図１１のＤ２５）、その「墨字の前」の下位画面（第３階層）では、上述の「墨字の後ろ」と同様の−５．０ｃｍ〜＋５．０ｃｍの０．５ｃｍ刻みの選択肢（図１２参照）を表示するので、同様に「＋０．５ｃｍ」が選択確定されると、「５．墨字の前」の設定長さＳＬ＝＋０．５ｃｍを設定して終了し、その他の配置関連指定（Ｓ３４３）に移行し、終了後には、元の画面に戻る（Ｄ１４）。
【００９２】
この場合、同様にして印刷キーが押されると（Ｄ１５、Ｓ１２の状態→ＩＮＴＧ）、図１４（ｃ）に示す＜例５＞のように、すなわち「墨字の前」の表現の如く、墨字「ＡＢＣ」の前に点字を配置できるように、点字の後余白ＲｂＬ＝ＳＬを設定するとともに、その後側に印刷配置部長さＰＬ分だけの後余白をさらに加えて、共通配置部長さＣＬ（＝ＢＬ＋ＰＬ＝ＦｂＬ＋ＤＬ＋ＳＬ＋ＰＬ）を設定する。
【００９３】
また、続いて、それぞれ全長が共通配置部長さＣＬになるように、後側の余白部分を拡張した点字画像Ｇｂ１４と、前側の余白部分を拡張した墨字画像Ｇｐ１４と、を作成し、これらによる墨字印刷と点字打刻により（図７のＳ１５〜Ｓ１９、Ｓ２７）、図１４（ｃ）の外観画像Ｇ１４のような墨点併記のラベルＬ１４を作成する。
【００９４】
そして、この「５．墨字の前」の場合も、前述の「４．墨字の後ろ」と同様に、第３階層の特徴的な点として、−５．０ｃｍ〜−０．５ｃｍの０．５ｃｍ刻みの負の値の選択肢（図１２参照）を有している。
【００９５】
このため、同様に「−１．０ｃｍ」が選択確定されると、「５．墨字の前」の設定長さＳＬ＝−１．０ｃｍを設定して終了し、その他の配置関連指定（Ｓ３４３）等を終了後に元の画面に戻る（Ｄ１４）。続いて同様にして印刷キーが押されると、図１４（ｄ）に示す＜例６＞のように、全体として「墨字の前」ではあるが相互間距離（設定長さ）ＳＬが負のため、実打刻部長さＤＬが印刷配置部長さＰＬと一部重複し、墨字点字が一部重なるように、レイアウト設定される（図７のＳ３０）。
【００９６】
この場合、実打刻部ＤＬの後にＰＬ−ＳＬ分の後余白を加えて、共通配置部長さＣＬ（＝ＢＬ−ＲｂＬ−ＳＬ＋ＰＬ＝ＦｂＬ＋ＤＬ−ＳＬ＋ＰＬ）を設定し、それぞれ全長が共通配置部長さＣＬになるように、後側の余白部分を拡張した点字画像Ｇｂ１５と、前側の余白部分を拡張した墨字画像Ｇｐ１５と、を作成し、これらの墨字印刷と点字打刻により（図７のＳ１５〜Ｓ１９、Ｓ２７）、図１４（ｄ）に示す外観画像Ｇ１５のような墨点併記のラベルＬ１５を作成する。
【００９７】
以上、詳述したように、本実施形態のラベル作成装置１では、共通のテープ（処理シート）Ｔに印刷される墨字と打刻される点字の相対位置関係を示す（相対位置情報を有する）「墨の後ろ」や「墨字の前」などの選択肢（候補選択肢）が、点字の余白指定の選択肢として用意されているので、これらを選択して指定するだけで、墨字と点字を容易に配置できる。すなわち、墨字と点字の所望の相対位置関係を、余白設定によって容易に設定できる。
【００９８】
また、上述の相対位置関係を示す候補選択肢を選択すると、前後関係ばかりでなく、その下位階層において、前後方向における相互間距離の選択肢を選択・設定できるので、所望の前後関係と相互間距離を有する墨字と点字とを容易に配置でき、この配置による相対位置関係を、余白設定によって容易に設定できる。また、相互間距離として負の値を選択・設定できるので、前後関係においてその負の値の距離分だけ重なる相対位置関係を、容易に設定できる。
【００９９】
なお、上述の実施形態では、相対間距離の基準を印刷配置部長さＰＬの前端または後端としたが、墨字としての前余白ＦｐＬや後余白ＲｐＬの部分を除く実印刷部の前端または後端を基準とすることもできる。前者では、墨字印刷のみの場合の墨字の見やすさ等を考慮した前余白や後余白の設定をそのまま生かすことができる一方、後者では、既設定に拘わらず、表面に直接表れる墨字（実印刷部）と点字（実打刻部）との位置関係のみを考慮して改めて設定する場合に都合が良い（設定しやすい）ので、これらを選択できるようにしても良い。
【０１００】
また、上述の実施形態では、前余白と後余白とを同じ余白設定の中で行ったが、個別に設定することもでき、このような場合、前余白の設定では、図１２で上述の「長さ指定」「相対指定」「墨字の後ろ」を設定可能とし、後余白の設定では、「長さ指定」「相対指定」「墨字の前」を設定可能とすれば、それぞれ前余白のみ、あるいは後余白のみの設定で対応できる。
【０１０１】
また、上述の実施形態では、点字の余白設定の例として、テープ幅１２ｍｍ（テープＴ３）を例示したが、他のテープ幅１８ｍｍ（テープＴ１）、２４ｍｍ（テープＴ２）でも良く、これらの場合、点字上段／下段や、墨点並行／重ねなどを選択できるが、それぞれに場合についても、同様に適用できる。すなわち、墨字と点字とがいわゆる同一行に並ぶ前後関係のみの相対位置情報ばかりでなく、例えば複数行構成で異なる行に並んだり、一方が上下方向にずれて一部重なったりするように、上下関係や斜めの相対位置関係が存在しうるものにも適用できる。これらの場合の、前余白や後余白の選択肢としては、少なくとも前後方向の成分という意味での前後関係を示すものであれば良い。
【０１０２】
また、これらの場合、上述の実施形態の構成とは異なるが、点字の上下の余白をも設定できるようにしても良い。この場合、その上下余白の設定の候補として、同様に上下方向における相対位置関係（および相互間距離）を示す候補選択肢を用意すれば、上余白あるいは下余白あるいはこれらを統合した上下余白の各設定において、用意された候補選択肢を選択して設定するだけで、墨字と点字の所望の相対位置関係を、余白設定によって容易に設定できる。また、この場合、上下および前後ばかりでなく、斜め方向における相対位置関係やその相互間距離等を選択可能とすることもできる。
【０１０３】
また、上述した実施形態において採用された文字情報処理装置としての機能あるいは各種処理方法（文字情報処理方法など）は、上述のラベル作成装置１ばかりでなく、プログラム処理可能な各種の装置によって処理されるプログラムとして適用でき、その種のプログラムを記憶するための例えばＣＤ、ＭＤ、ＤＶＤ等の記憶媒体にも適用でき、この種のプログラムを記憶しておいて、あるいは記憶媒体等から読み出して、実行することにより、墨字と点字の所望の相対位置関係を、余白設定によって容易に設定できる。もちろん、その他、要旨を逸脱しない範囲で、適宜変更も可能である。
【図面の簡単な説明】
【０１０４】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する補足説明図。
【図１０】レイアウト設定時の操作および処理の説明図。
【図１１】点字配置指定の点字余白指定の操作の説明図。
【図１２】点字余白指定の各階層における選択肢の一例を示す説明図。
【図１３】各種の余白指定による墨字画像、点字画像およびラベルの例を示す説明図。
【図１４】墨字と点字との相対位置関係を指定する例を示す、図１３と同様の説明図。
【符号の説明】
【０１０５】
１…ラベル作成装置（文字情報処理装置）  ２…装置ケース  ３…キーボード  ４…ディスプレイ  ７…印刷ヘッド  １１０…操作部  １２０…墨字印刷部  １４０…切断部  １５０…点字打刻部  １７０…検出部  １８０…駆動部  ２００…制御部  Ｂ…点字  ＢＬ…打刻配置部長さ  Ｃ…テープカートリッジ  ＣＬ…共通配置部長さ  Ｅｂ…点字打刻領域（打刻配置部）  Ｅｃ…共通処理領域（共通配置部）  Ｅｐ…墨字印刷領域（印刷配置部）  Ｇｘｘ…画像  Ｌｘｘ…ラベル  Ｐ…墨字  ＰＬ…印刷配置部長さ  ＳＬ…設定長さ（相互間距離）  Ｔ、Ｔ１、Ｔ２、Ｔ３……テープ（処理シート）
【図１】
2006027177.tif 000003
【図２】
2006027177.tif 000004
【図３】
2006027177.tif 000005
【図４】
2006027177.tif 000006
【図５】
2006027177.tif 000007
【図６】
2006027177.tif 000008
【図７】
2006027177.tif 000009
【図８】
2006027177.tif 000010
【図９】
2006027177.tif 000011
【図１０】
2006027177.tif 000012
【図１１】
2006027177.tif 000013
【図１２】
2006027177.tif 000014
【図１３】
2006027177.tif 000015
【図１４】
2006027177.tif 000016
【手続補正書】
【提出日】平成17年1月18日(2005.1.18)
【手続補正１】
【補正対象書類名】明細書
【補正対象項目名】００１９
【補正方法】変更
【補正の内容】
【００１９】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【手続補正２】
【補正対象書類名】明細書
【補正対象項目名】００２０
【補正方法】変更
【補正の内容】
【００２０】
また、ラベル作成装置１は、図３に示すように、制御系から見た基本的な構成として、キーボード３およびディスプレイ４を有し、文字情報の入力や各種情報の表示などマンマシンインタフェースを司る操作部１１０と、テープカートリッジＣ、印刷ヘッド７および印刷送りモータ１２１を有し、テープＴおよびインクリボンＲを搬送しながらテープＴ上に墨字印刷を行う墨字印刷部１２０と、テープカッタ１４２およびこれを駆動するカッタモータ１４１を有し、印刷済みテープＴを切断する切断部１４０と、を備えている。
【手続補正３】
【補正対象書類名】明細書
【補正対象項目名】００２８
【補正方法】変更
【補正の内容】
【００２８】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字印刷データＰに基づく墨字印刷を行うと共に、予め制御データブロック２２２内に記憶されているデータに基づいて、挿入するテープＴの前後識別情報Ｄの印刷も行う。その後、墨字印刷データに基づいて（必要に応じて調整済みの）所定長さのテープ送りを行い、テープカッタ１４２によりテープ後端部を切断して、印刷テープ排出口２２からテープＴを排出する。
【手続補正４】
【補正対象書類名】図面
【補正対象項目名】図２
【補正方法】変更
【補正の内容】
【図２】
2006027177.tif 000017
【手続補正５】
【補正対象書類名】図面
【補正対象項目名】図３
【補正方法】変更
【補正の内容】
【図３】
2006027177.tif 000018